(57)【要約】【課題】簡単な構成の携帯型処理装置により印刷するバーコードの不良を改善する。【解決手段】ハンディターミナル１０は、光を出射しその反射光を受光して物体に付されたバーコードを読み取るスキャナ光受発光部１３とスキャナ光受発光部１３が読み取ったコードが含む情報を用いて処理を行うＣＰＵ３０とを有しプリンタ４０と通信可能に接続されており、プリンタ４０によってバーコードを含むお知らせ票の印刷が行われたか否かを判定する印刷実行判定部３２と、印刷実行判定部３２がバーコードを含むお知らせ票の印刷が行われたと判定するとスキャナ光受発光部１３によって当該お知らせ票に印刷されたバーコードが読み取れたか否かを判定するバーコード読取判定部３３と、バーコード読取判定部３３がバーコードを読み取れないと判定すると当該バーコードを含んだお知らせ票の印刷をプリンタ４０に再度行わせるお知らせ票再印刷実行部３６とを有する。【選択図】図３
2014021518.tif 000002
【特許請求の範囲】
【請求項１】
光を出射しその反射光を受光して物体に付されたコードを読み取る読み取り部と、前記読み取り部が読み取ったコードが含む情報を用いて処理を行う処理部と、を有し、印刷装置が一体とされ又は印刷装置と通信可能に接続された携帯型処理装置であって、
前記印刷装置によって印刷媒体にコードを含む印刷が行われたか否かを判定する印刷実行判定部と、
前記印刷実行判定部が前記印刷媒体にコードを含む印刷が行われたと判定すると前記読み取り部によって当該印刷媒体に印刷されたコードが読み取れたか否かを判定する読み取り判定部と、
前記読み取り判定部がコードを読み取れないと判定すると当該コードを含んだ印刷媒体への印刷を前記印刷装置に再度行わせる再印刷実行部と、
を有することを特徴とする携帯型処理装置。
【請求項２】
前記印刷実行判定部が前記印刷媒体にコードを含む印刷が行われたと判定すると当該印刷媒体に印刷されているコードに対し前記読み取り部によって読み取り操作できる状態になっていることを報知する報知部をさらに有することを特徴とする請求項１に記載の携帯型処理装置。
【請求項３】
前記印刷媒体にコードを印刷するときに使用する当該コードが含む情報が記憶されている記憶部と、
前記読み取り判定部がコードを読み取れたと判定するとその読み取った当該コードが含む情報と前記記憶部に記憶されている前記コードが含む情報とが一致するか否かを判定する一致判定部と、をさらに有し、
前記再印刷実行部は、前記読み取り判定部がコードを読み取れたと判定しかつ前記一致判定部が不一致であると判定すると当該コードを含んだ印刷媒体への印刷を前記印刷装置に再度行わせることを特徴とする請求項１又は２に記載の携帯型処理装置。
【請求項４】
同一のコードについて前記読み取り判定部が当該コードを読み取れないと予め設定されている回数判定すると前記再印刷実行部が当該コードを含んだ印刷媒体への印刷を前記印刷装置に再度行わせることを禁止する再印刷実行禁止部をさらに有することを特徴とする請求項１乃至３の何れか１項に記載の携帯型処理装置。
【請求項５】
光を出射しその反射光を受光して物体に付されたコードを読み取る読み取り部と、前記読み取り部が読み取ったコードが含む情報を用いて処理を行う処理部と、を有し、印刷装置が一体とされ又は印刷装置と通信可能に接続された携帯型処理装置を用いた印刷状態判定方法であって、
前記印刷装置によって印刷媒体にコードを含む印刷が行われたときに前記読み取り部によって当該印刷媒体に印刷されているコードを読み取る読み取りステップと、
前記読み取りステップで前記印刷媒体に印刷されているコードを読み取れたか否かを判定する読み取り判定ステップと、
前記読み取り判定ステップでコードを読み取れないと判定すると印刷媒体に当該コードを含んだ印刷を前記印刷装置に再度行わせる再印刷実行ステップと、
を有することを特徴とする印刷状態判定方法。
【発明の詳細な説明】
【技術分野】
【０００１】
本発明は、携帯型処理装置、印刷状態判定方法に関し、詳しくは、印刷媒体に印刷されるコードの印刷状態を点検するものに関する。
【背景技術】
【０００２】
近年の電気部品等の小型化に伴ってハンディターミナル等の携帯型処理装置として印刷装置を備えるものが提供されてきている。例えば、このような携帯型処理装置は、電気・ガス・水道等の検針や、配達新聞等の集金や、宅配等のような外勤業務で利用されて、お客様宛のお知らせ票等の各種書類をその場で印刷装置によって印刷することを可能にしている。
このような印刷装置を備える携帯型処理装置を利用する外勤業務の作業者は、印刷装置によって印刷された各種書類の印刷状態を目視により確認し、お客さまに渡している。
【０００３】
ここで、印刷された書類には、バーコードを含むものがある。具体的には、コンビニ振込用バーコードが印刷されているお客様宛てお知らせ票（例えば、コンビニ用振込票）がある。しかし、このようなコンビニ振込用バーコードに印刷不良が発生すると、お客様宛てお知らせ票を受け取ったお客様が当該お客様宛てお知らせ票を用いて料金等を支払えなくなってしまう。
これに対して、印刷不良のバーコードに対応可能な技術として、特許文献１〜４には、次のような技術が開示されている。
【０００４】
特許文献１には、バーコード印字装置でバーコードを印字しながらバーコード印字装置が備えたバーコード読取装置によって当該バーコードの良否を検査する技術が開示されている。
また、特許文献２には、バーコードを読み取って取得した２値画像データを利用して当該バーコードの良否を判定する技術が開示されている。
【０００５】
また、特許文献３には、バーコードスキャナが欠陥のあるバーコードを読み込むと、その欠陥を検出し、読み込んだバーコードの情報を当該バーコードスキャナ内で修正する技術が開示されている。
また、特許文献４には、スキャナ装置が、バーコードを読み取った際に、デコードに失敗した部分及び成功した部分の少なくとも一つをユーザに報知する技術が開示されている。
【先行技術文献】
【特許文献】
【０００６】
【特許文献１】特開平９−１５６１６１号公報
【特許文献２】特開２０００−２９９７８号公報
【特許文献３】特開平１０−１０５６４３号公報
【特許文献４】特開２０１０−４９５９５号公報
【発明の概要】
【発明が解決しようとする課題】
【０００７】
しかしながら、特許文献１に開示の技術では、バーコードの良否の検査のためだけの専用のバーコードリーダ（又はバーコードスキャナ）が必要となる。よって、特許文献１に開示の技術を携帯型処理装置に適用すると、印刷装置に専用のバーコードリーダ（又はバーコードスキャナ）を備えなければならず、携帯型処理装置が複雑化したり携帯型処理装置の携帯性が低下したりしてしまう恐れがある。
【０００８】
また、特許文献２〜３に開示の技術は、いずれも印刷不良が発生しているバーコード自体を改善するものではないため、バーコードそのものは、特許文献２〜３に開示の技術が適用されていないバーコードスキャナ（又はバーコードリーダ）では依然として読み込めない。よって、例えば、特許文献２〜３に開示の技術が適用されていないバーコードスキャナ（又はバーコードリーダ）を備えているコンビニエンスストアに、印刷不良が発生したコンビニ振込用バーコードを含むお客様宛てお知らせ票をお客様が持ち込んでも、そのバーコードスキャナ（又はバーコードリーダ）によって当該お客様宛てお知らせ票を読み込むことができない。
そこで、本発明の目的は、簡単な構成の携帯型処理装置によって印刷するバーコードの不良を改善できるようにすることである。
【課題を解決するための手段】
【０００９】
上記課題を解決する携帯型処理装置の発明の一態様は、光を出射しその反射光を受光して物体に付されたコードを読み取る読み取り部と、前記読み取り部が読み取ったコードが含む情報を用いて処理を行う処理部と、を有し、印刷装置が一体とされ又は印刷装置と通信可能に接続された携帯型処理装置であって、前記印刷装置によって印刷媒体にコードを含む印刷が行われたか否かを判定する印刷実行判定部と、前記印刷実行判定部が前記印刷媒体にコードを含む印刷が行われたと判定すると前記読み取り部によって当該印刷媒体に印刷されたコードが読み取れたか否かを判定する読み取り判定部と、前記読み取り判定部がコードを読み取れないと判定すると当該コードを含んだ印刷媒体への印刷を前記印刷装置に再度行わせる再印刷実行部と、を有することを特徴とするものである。
【発明の効果】
【００１０】
本発明の一態様によれば、携帯型処理装置が有する読み取り部を利用して、印刷装置によって行った印刷媒体へのコードの印刷状態を判定し、コードが印刷不良になっている場合には再度印刷させることができる。これによって、本発明の一態様では、読み取り部によって読み取りができることが確認されたコードが印刷された印刷媒体を提供できる。このように、本発明の一態様によれば、簡単な構成の携帯型処理装置によって印刷するバーコードの不良を改善できる。
【図面の簡単な説明】
【００１１】
【図１】本実施形態に係る携帯型処理装置の構成例を示す外観図である。
【図２】ハンディターミナルの構成例を示すブロック図である。
【図３】ハンディターミナルのＣＰＵの機能の一例を示すブロック図である。
【図４】ハンディターミナルにおける処理の一例を示すフローチャートである。
【発明を実施するための形態】
【００１２】
本発明の実施形態の一態様としては、光を出射しその反射光を受光して物体に付されたコードを読み取る読み取り部と、前記読み取り部が読み取ったコードが含む情報を用いて処理を行う処理部と、を有し、印刷装置が一体とされ又は印刷装置と通信可能に接続された携帯型処理装置であって、前記印刷装置によって印刷媒体にコードを含む印刷が行われたか否かを判定する印刷実行判定部と、前記印刷実行判定部が前記印刷媒体にコードを含む印刷が行われたと判定すると前記読み取り部によって当該印刷媒体に印刷されたコードが読み取れたか否かを判定する読み取り判定部と、前記読み取り判定部がコードを読み取れないと判定すると当該コードを含んだ印刷媒体への印刷を前記印刷装置に再度行わせる再印刷実行部と、を有するのに加えて、次の構成を備えても良い。
【００１３】
第１の他の態様としては、前記印刷実行判定部が前記印刷媒体にコードを含む印刷が行われたと判定すると当該印刷媒体に印刷されているコードに対し前記読み取り部によって読み取り操作できる状態になっていることを報知する報知部をさらに有しても良い。この態様では、携帯型処理装置の使用者に、印刷媒体に印刷されているコードを読み取り部によって読み取ることを促すことができ、印刷媒体への印刷後に早期に当該印刷媒体へのコードの印刷状態の判定を行うことができる。
【００１４】
第２の他の態様としては、前記印刷媒体にコードを印刷するときに使用する当該コードが含む情報が記憶されている記憶部と、前記読み取り判定部がコードを読み取れたと判定するとその読み取った当該コードが含む情報と前記記憶部に記憶されている前記コードが含む情報とが一致するか否かを判定する一致判定部と、をさらに有し、前記再印刷実行部は、前記読み取り判定部がコードを読み取れたと判定しかつ前記一致判定部が不一致であると判定すると当該コードを含んだ印刷媒体への印刷を前記印刷装置に再度行わせるようにしても良い。この態様では、読み取り部が読み取ってしまうようなコードの誤印字が発生している場合にも再度印刷させることができる。
【００１５】
第３の他の態様としては、同一のコードについて前記読み取り判定部が当該コードを読み取れないと予め設定されている回数判定すると前記再印刷実行部が当該コードを含んだ印刷媒体への印刷を前記印刷装置に再度行わせることを禁止する再印刷実行禁止部をさらに有しても良い。この態様では、再印刷を複数回実行しても読み取り部がコードを読み取れるようにならない場合には再印刷を禁止でき、際限なく再印刷させる処理を行ってしまうのを防止できる。
【００１６】
（本実施形態の詳細な説明）
以下、図面を参照して、本実施形態について詳細に説明する。
図１は、本実施形態に係る携帯型処理装置１の一例を示す図である。
図１に示すように、携帯型処理装置１は、ハンディターミナル（又はハンディターミナル本体ともいう。）１０及びプリンタ４０を有している。
ここで、ハンディターミナル１０は、表示部１１、操作部１２、及びスキャナ光受発光部１３を有している。そして、ハンディターミナル１０は、プリンタ４０を付属できるように設計されている。
【００１７】
ここで、表示部１１は、各種情報を表示するものであり、例えば液晶表示部である。また、表示部１１は、表示を行いながら入力を可能にする、いわゆるタッチパネルであっても良い。また、操作部１２は、使用者が操作して各種情報を入力するためのものである。本実施形態では、操作部１２は、テンキー１２ａや各種機能キー１２ｂを有している。また、スキャナ光受発光部１３は、バーコードを読み取るためのものである。このスキャナ光受発光部（以下、バーコードリーダともいう。）１３は、レーザ光を出射し、物体に付されているバーコードによって反射される反射光を受光することによって、当該バーコードを読み取る。
【００１８】
また、プリンタ４０は、各種情報を印刷媒体に印刷する。具体的には、プリンタ４０は、図示することは省略するが、ロール形式の感熱記録紙（印刷媒体）Ｐを不図示のプラテンとの間に挟むようにしてサーマルヘッドを通電し加熱することで、感熱記録紙Ｐに各種情報を印刷する。また、プリンタ４０は、ハンディターミナル１０との間で無線通信により各種情報をやり取りできるように構成されている。これによって、プリンタ４０は、ハンディターミナル１０から送られてきた各種情報を印刷できる。
図２は、ハンディターミナル１０の基本的な構成の一例を示す図である。
【００１９】
ここで、図２に示す一例のハンディターミナル１０は、商用電力を消費する客先の使用電力量の確認等をすることを目的として、各家庭等の消費場所に赴いて、設置されている電力量計１００の検針をする等の外勤業務のために携帯される。さらに、ハンディターミナル１０は、そのような外勤業務にてコンビニ振込用バーコードを含んだお客様宛てお知らせ票（例えば、コンビニ用振込票）をプリンタ４０によって印刷することができる。ここで、コンビニ振込用バーコードには、使用電力量等の振込みに必要な情報が含まれている。そして、ハンディターミナル１０は、外勤業務に必要な基本情報等を予め格納するとともに、客先での外勤業務を可能にする客先情報等を、外出前にホスト５０から都度取得し格納して各種処理を実行できる。
【００２０】
図２に示すように、このハンディターミナル１０は、表示部１１、操作部１２、及びスキャナ光受発光部１３に加えて、ＣＰＵ３０、ＲＯＭ１４、ＲＡＭ１５、メモリ部１６、バーコードリーダ処理部１７、無線通信部１８、及び接続端子部１９、及びバッテリ２０を有している。
【００２１】
ここで、ＣＰＵ３０は、ＲＯＭ１４内に予め格納されている制御プログラムに従ってＲＡＭ１５をワークエリアとして利用しつつ各種パラメータや取得情報等に基づいて装置各部を統括制御する。
また、バーコードリーダ処理部１７は、スキャナ光受発光部１３を制御してバーコードを読み取る。ＣＰＵ３０は、このバーコードリーダ処理部１７によって商品等に付されているバーコードを読み取り、読み取ったバーコードが含む情報を用いて予め設定されている業務処理を行う。
【００２２】
また、無線通信部１８は、外部機器となる電力量計１００やプリンタ４０との間で無線通信によって各種情報のやり取りを行う。また、接続端子部１９は、外部機器となるホスト５０に電気的に接続される。これによって、ハンディターミナル１０は、接続端子部１９を介してホスト５０との間で各種情報のやり取りを行う。ハンディターミナル１０は、これら無線通信部１８、接続端子部１９を介して接続する外部機器との間で各種情報のやり取りを行うことにより、外勤業務に必要な情報や外勤業務で取得した情報をバッテリ２０の電力で機能維持するメモリ部１６内に記憶保持するとともに記憶保持した情報を外部機器からの要求に応じて当該外部機器に送出する。
ハンディターミナル１０の基本的な構成は以上のようになる。
【００２３】
そして、本実施形態では、ハンディターミナル１０は、プリンタ４０にて印刷を行った際にその印刷状態を点検するための印刷状態点検処理を行っている。次に、その印刷状態点検処理を説明する。
図３は、その印刷状態点検処理を実現するＣＰＵ３０の機能を示す図である。図３に示すように、ＣＰＵ３０は、お知らせ票印刷実行部３１、印刷実行判定部３２、バーコード読取判定部３３、バーコード誤印字判定部３４、お知らせ票回収処理部３５、及びお知らせ票再印刷実行部３６を制御プログラムの実行によって実現される機能として有している。
【００２４】
また、図４は、印刷状態点検処理の一例を示すフローチャートである。以下に、この図４に示す処理手順に沿って、図３に示すＣＰＵ３０の各機能による処理内容を具体的に説明する。
図４に示すように、先ずステップＳ１では、印刷実行判定部３２は、プリンタ４０がお客様宛てお知らせ票（以下、単にお知らせ票という。）を印刷したか否かを判定する。ここで、本実施形態では、お知らせ票印刷実行部３１が、操作部１２が操作されて入力された情報等に基づいて生成した印刷指示をプリンタ４０に出力することによって、プリンタ４０にお知らせ票の印刷を実行させている。このようなことから、印刷実行判定部３２は、このようなお知らせ票印刷実行部３１による印刷指示の有無によってプリンタ４０がお知らせ票を印刷したか否かを判定する。そして、印刷実行判定部３２は、お知らせ票を印刷したと判定したときに、ステップＳ２に進む。
【００２５】
ステップＳ２では、印刷実行判定部３２は、お知らせ票がバーコード（具体的にはコンビニ振込用バーコード）の印刷を有するものか否かを判定する。例えば、印刷実行判定部３２は、プリンタ４０に出力した印刷指示に付加した印刷のための必要な情報を参照して、お知らせ票がバーコード（具体的にはコンビニ振込用バーコード）の印刷を有するものか否かを判定する。印刷実行判定部３２は、お知らせ票がバーコードの印刷を有するものであると判定すると、ステップＳ３に進む。また、印刷実行判定部３２は、お知らせ票がバーコードの印刷を有するものでないと判定すると、当該図４に示す処理を終了する（前記ステップＳ１から再び処理を開始する）。
【００２６】
ステップＳ３では、印刷実行判定部３２は、バーコードの印刷状態を確認するためのバーコード確認コマンドを発行する。
前記ステップＳ３において印刷実行判定部３２がバーコード確認コマンドを発行すると、次に、ステップＳ４において、バーコード読取判定部３３は、お知らせ票に印刷されているバーコードをハンディターミナル１０のバーコードリーダ１３にて読み取ることを当該ハンディターミナル１０の使用者に促すための読み取り画面表示を行う。
【００２７】
次に、ステップＳ５では、バーコード読取判定部３３は、スキャナ光受発光部１３が反射光を受光したか否かを判定する。バーコード読取判定部３３は、スキャナ光受発光部１３が反射光を受光したと判定したときに、ステップＳ６に進む。
次に、ステップＳ６では、バーコード読取判定部３３は、バーコードリーダ１３がバーコードを読み取ることができたか否かを判定する。ここで、バーコード読取判定部３３は、バーコードの読み取りエラーが発生していれば、バーコードリーダ１３がバーコードを読み取ることができなかったと判定する。そして、バーコード読取判定部３３は、バーコードリーダ１３がバーコードを読み取ることができなかったと判定すると、ステップＳ１０に進む。また、バーコード読取判定部３３は、バーコードリーダ１３がバーコードを読み取ることができたと判定すると、ステップＳ７に進む。
【００２８】
ステップＳ７では、バーコード誤印字判定部３４は、誤印字判定を行う。具体的には、バーコード誤印字判定部３４は、バーコードリーダ１３によって読み取ったバーコードが含む情報と、お知らせ票内に印刷したバーコードの元となる情報（メモリ部１６等によってハンディターミナル１０の内部に保持している情報）とを対比してそれら情報が一致しない場合、誤印字であると判定する。そして、ハンディターミナル１０は、誤印字であると判定すると、ステップＳ１０に進む。また、ハンディターミナル１０は、誤印字でないと判定すると、ステップＳ９に進む。
【００２９】
ステップＳ９では、ＣＰＵ３０（例えば、表示処理部）は、次の業務を開始するための画面表示を行う。例えば、ＣＰＵ３０は、各種の操作を可能にするメニュー画面表示を行う。そして、ＣＰＵ３０は、当該図４に示す処理を終了する。
ステップＳ１０では、お知らせ票回収処理部３５は、印刷されたお知らせ票、すなわち、印刷不良が発生しているバーコードが印刷されているお知らせ票を当該ハンディターミナル１０の使用者に回収させるための画面表示（例えば、お知らせ票回収依頼画面表示）を行う。ここで、お知らせ票の回収とは、ハンディターミナル１０で印刷したお知らせ票をお客様に渡さないようにすることである。
【００３０】
続いてステップＳ１１では、お知らせ票回収処理部３５は、お知らせ票を回収した結果を使用者に登録させるための画面表示（例えば、お知らせ票回収結果登録画面表示）を行う。ここで、お知らせ票回収処理部３５は、前記ステップＳ１０の印刷したお知らせ票を使用者に回収させるための画面表示と、このステップＳ１１のお知らせ票を回収した結果を使用者に登録させるための画面表示とを同一画面において行う。このような画面表示によって、使用者は、お知らせ票を回収している場合には操作部１２を操作してその登録を行うことができる。
【００３１】
次に、ステップＳ１２では、お知らせ票回収処理部３５は、使用者によって回収結果が登録された（すなわち、お知らせ票を回収した登録がされた）か否かを判定する。お知らせ票回収処理部３５は、回収結果が登録されたと判定すると、ステップＳ１３に進む。また、お知らせ票回収処理部３５は、回収結果が登録されていないと判定すると、前記ステップＳ１０から再び処理を開始する。すなわち、お知らせ票回収処理部３５は、お知らせ票を使用者に回収させるための画面表示とお知らせ票を回収した結果を使用者に登録させるための画面表示とを維持する。
【００３２】
ステップＳ１３では、お知らせ票再印刷実行部３６は、お知らせ票を再印刷する。例えば、お知らせ票再印刷実行部３６は、回収されたお知らせ票に係る印刷指示を再度プリンタ４０に出力するようにお知らせ票印刷実行部３１に対して指示する。そして、お知らせ票再印刷実行部３６は、前記ステップＳ３から再び処理を開始する。
【００３３】
（動作、作用等）
次に、ハンディターミナル１０における動作、作用等について説明する。
ハンディターミナル１０は、操作部１２が操作されて入力された情報等に基づいて印刷指示をプリンタ４０に出力してプリンタ４０にお知らせ票を印刷させる。例えば、ハンディターミナル１０は、表示部１１に各種情報を表示させつつ、操作部１２のテンキー１２ａや各種機能キー１２ｂ等への入力操作がなされると、客先の電力量計１００に無線通信によって接続して、その使用電力量を取得する。そして、ハンディターミナル１０は、その取得情報に基づいてお知らせ票の画像形成に必要な情報を作成して、作成したお知らせ票の情報を付加した印刷指示をプリンタ４０に無線送信することによって、プリンタ４０にお知らせ票を印刷させる。
【００３４】
そして、ハンディターミナル１０は、その印刷したお知らせ票にバーコードが印刷されている場合には、バーコード確認コマンドを発行して読み取り画面表示を行う（前記ステップＳ１〜前記ステップＳ４）。
それから、ハンディターミナル１０は、バーコードリーダ１３がバーコードを読み取ることができなかった場合、又は、バーコードリーダ１３がバーコードを読み取ることができたが当該バーコードの印字が誤印字である場合、お知らせ票を使用者に回収させるための画面表示を行うとともに、お知らせ票を回収した結果を使用者に登録させるための画面表示を行う（前記ステップＳ５〜前記ステップＳ８、前記ステップＳ１０、前記ステップＳ１１）。
【００３５】
この画面表示によって使用者がお知らせ票を回収したことを操作部１２を操作して登録すると、ハンディターミナル１０は、お知らせ票を再印刷する（前記ステップＳ１２、前記ステップＳ１３）。
このようにハンディターミナル１０が有する自動的に再印刷する機能によって、当該ハンディターミナル１０の使用者は、お知らせ票に印刷されたバーコードが当初読み取れない場合でも、その後、正しくバーコードが印刷されたお知らせ票を取得することが可能になる。これによって、印刷不良が発生したままのコンビニ振込用バーコードを含むお知らせ票をお客様に提供してしまうのを防止し、お客様がそのようなお知らせ票をコンビニエンスストアに持ち込んでしまいバーコードリーダで読めないといった状況に陥ることを防止できる。
【００３６】
なお、前述の実施形態の説明では、スキャナ光受発光部１３及びバーコードリーダ処理部１７は、例えば、読み取り部を構成する。また、ＣＰＵ３０は、例えば、処理部を構成する。また、バーコード読取判定部３３は、例えば、読み取り判定部を構成する。また、お知らせ票再印刷実行部３６は、例えば、再印刷実行部を構成する。また、表示部１１は、例えば、報知部を構成する。また、バーコード誤印字判定部３４は、例えば、一致判定部を構成する。
【００３７】
また、前述の実施形態では、光を出射しその反射光を受光して物体に付されたコードを読み取る読み取り部と、前記読み取り部が読み取ったコードが含む情報を用いて処理を行う処理部と、を有し、印刷装置が一体とされ又は印刷装置と通信可能に接続された携帯型処理装置を用いた印刷状態判定方法であって、前記印刷装置によって印刷媒体にコードを含む印刷が行われたときに前記読み取り部によって当該印刷媒体に印刷されているコードを読み取る読み取りステップと、前記読み取りステップで前記印刷媒体に印刷されているコードを読み取れたか否かを判定する読み取り判定ステップと、前記読み取り判定ステップでコードを読み取れないと判定すると印刷媒体に当該コードを含んだ印刷を前記印刷装置に再度行わせる再印刷実行ステップと、を有する印刷状態判定方法を実現している。
【００３８】
（本実施形態の変形例）
本実施形態では、お知らせ票に印刷されているバーコードに対しスキャナ光受発光部１３によって読み取り操作できる状態になっていることを画面表示によって報知している。しかし、本実施形態は、これに限定されるものではない。例えば、本実施形態では、画面表示した内容と同様な内容を音声によって報知することもできる。
【００３９】
また、本実施形態では、ハンディターミナル１０は、同一のコードについてバーコード読取判定部３３が当該コードを読み取れないと予め設定されている回数判定すると、プリンタ４０によって再度印刷することを禁止することもできる。また、このとき、ハンディターミナル１０は、当該ハンディターミナル１０の修理を要請するように修理要請画面表示を行う。ここで、予め設定されている回数は、実験的、経験的、又は理論的に予め設定された値である。
【００４０】
また、本実施形態では、スキャナ光受発光部１３及びバーコードリーダ処理部１７が読み取ることができるコードは、バーコードに限らず、他のコード、例えばＱＲコード（登録商標）等の２次元コードとすることもできる。
【００４１】
また、本実施形態では、ハンディターミナル１０は、無線による通信が可能な装置としてプリンタ４０を備えているが、有線による通信が可能な装置としてプリンタ４０を備えることもできる。また、ハンディターミナル１０は、プリンタ４０を一体のものとして備えることもできる。
【００４２】
また、本実施形態では、ハンディターミナル１０を電力量計１００の検針の際に用いるものとして説明している。しかし、本実施形態は、これに限定されるものではない。すなわち、ハンディターミナル１０は、他の用途にも使用できるものであり、例えば、ガス・水道等の検針や、配達新聞等の集金や、宅配等において使用できるものである。
【００４３】
また、本発明の範囲は、図示され記載された例示的な実施形態に限定されるものではなく、本発明が目的とするものと均等な効果をもたらすすべての実施形態をも含む。さらに、本発明の範囲は、各請求項により画される発明の特徴の組み合わせに限定されるものではなく、すべての開示されたそれぞれの特徴のうち特定の特徴のあらゆる所望する組み合わせによって画されうる。
【産業上の利用可能性】
【００４４】
これまで本発明の一実施形態について説明したが、本発明は上述の実施形態に限定されず、その技術的思想の範囲内において種々異なる形態にて実施されてよいことは言うまでもない。
【符号の説明】
【００４５】
１  携帯型処理装置、１０  ハンディターミナル、１１  表示部、１２  操作部、１３  スキャナ光受発光部、１７  バーコードリーダ処理部、３０  ＣＰＵ、３１  お知らせ票印刷実行部、３２  印刷実行判定部、３３  バーコード読取判定部、３４  バーコード誤印字判定部、３５  お知らせ票回収処理部、３６  お知らせ票再印刷実行部、４０  プリンタ、１００  電力量計
【図１】
2014021518.tif 000003
【図２】
2014021518.tif 000004
【図３】
2014021518.tif 000005
【図４】
2014021518.tif 000006